(57)【要約】【課題】ユーザが特別な操作をすることなく、動画ファイルの記録の有無、高速書き込みの可否などの記録媒体の状態を容易に確認できる撮像装置及び情報処理装置を提供する。【解決手段】撮像装置または情報処理装置は、記録媒体から、記録媒体の状態を示す情報を取得する情報取得手段と、取得した情報に基づき記録媒体の状態を判定する判定手段と、判定手段による判定結果を外部に報知する報知手段と、を備える。【選択図】図３
2011044138.tif 000002
【特許請求の範囲】
【請求項１】
記録媒体から、前記記録媒体の状態を示す情報を取得する情報取得手段と、
前記取得した情報に基づき前記記録媒体の状態を判定する判定手段と、
前記判定手段による判定結果を外部に報知する報知手段と、を備える
ことを特徴とする撮像装置。
【請求項２】
前記記録媒体の状態を示す情報は、ディレクトリ・ファイル構成またはファイル名に関する情報であり、
前記判定手段は、前記ディレクトリ・ファイル構成またはファイル名に関する情報に基づき、前記記録媒体に動画ファイルが記録されているか否かを判定する、
ことを特徴とする請求項１に記載の撮像装置。
【請求項３】
前記判定手段は、
前記記録媒体に、ＡＶＣＨＤ規格で規定されたディレクトリまたはファイルが存在するか否かを判断し、
ＡＶＣＨＤ規格で規定されたディレクトリまたはファイルが存在すると判断した場合、前記記録媒体に動画ファイルが記録されていると判定し、
ＡＶＣＨＤ規格で規定されたディレクトリまたはファイルが存在しないと判断した場合、前記記録媒体に動画ファイルが記録されていないと判定する、
ことを特徴とする請求項２に記載の撮像装置。
【請求項４】
前記記録媒体の状態を示す情報は、ファイルシステム情報に含まれる、記録最小単位を示す情報であり、
前記判定手段は、前記記録最小単位を示す情報に基づき、前記記録媒体への高速書込の可否を判定する、
ことを特徴とする請求項１に記載の撮像装置。
【請求項５】
前記記録媒体はＳＤカードであり、前記ファイルシステム情報に含まれる記録最小単位はクラスタであり、
前記記録情報判定手段は、前記記録媒体のクラスタサイズが所定のクラスタサイズである場合、前記記録媒体への高速書込が可と判定し、前記クラスタサイズが所定のクラスタサイズでない場合、前記記録媒体への高速書込が不可と判定する、ことを特徴とする請求項４に記載の撮像装置。
【請求項６】
前記報知手段は発光手段を含み、前記発光手段は、前記判定結果に応じて異なった色で発光する、ことを特徴とする請求項１から請求項５のいずれかに記載の撮像装置。
【請求項７】
前記報知手段は発光手段を含み、前記発光手段は、前記判定結果に応じて異なった周期で点滅する、ことを特徴とする請求項１から請求項５のいずれかに記載の撮像装置。
【請求項８】
前記報知手段は複数の発光手段を含み、前記判定結果に応じて、点灯させる発光手段が切り替えられる、ことを特徴とする請求項１から請求項５のいずれかに記載の撮像装置。
【請求項９】
前記報知手段は、所定のテキストや画像を表示する表示手段を含む、ことを特徴とする請求項１から請求項５のいずれかに記載の撮像装置。
【請求項１０】
前記報知手段は、音声または信号音を出力する発音手段を含む、ことを特徴とする請求項１から請求項５のいずれかに記載の撮像装置。
【請求項１１】
前記記録媒体が当該撮像装置に装着されたときに、前記判定手段が前記記録媒体の状態を判定し、前記報知手段が前記判定結果を報知する、ことを特徴とする請求項１から請求項５のいずれかに記載の撮像装置。
【請求項１２】
記録媒体から、前記記録媒体の状態を示す情報を取得する情報取得手段と、
前記取得した情報に基づき前記記録媒体の状態を判定する判定手段と、
前記判定手段による判定結果を外部に報知する報知手段と、を備える
ことを特徴とする情報処理装置。
【請求項１３】
前記記録媒体の状態を示す情報は、ディレクトリ・ファイル構成またはファイル名に関する情報であり、
前記判定手段は、前記ディレクトリ・ファイル構成またはファイル名に関する情報に基づき、前記記録媒体に動画ファイルが記録されているか否かを判定する、
ことを特徴とする請求項１２記載の情報処理装置。
【請求項１４】
前記判定手段は、
前記記録媒体に、ＡＶＣＨＤ規格で規定されたディレクトリまたはファイルが存在するか否かを判断し、
ＡＶＣＨＤ規格で規定されたディレクトリまたはファイルが存在すると判断した場合、前記記録媒体に動画ファイルが記録されていると判定し、
ＡＶＣＨＤ規格で規定されたディレクトリまたはファイルが存在しないと判断した場合、前記記録媒体に動画ファイルが記録されていないと判定する、
ことを特徴とする請求項１３記載の情報処理装置。
【請求項１５】
前記報知手段は発光手段を含み、前記発光手段は、前記判定結果に応じて異なった色で発光する、ことを特徴とする請求項１２から請求項１４のいずれかに記載の情報処理装置。
【請求項１６】
前記報知手段は発光手段を含み、前記発光手段は、前記判定結果に応じて異なった周期で点滅する、ことを特徴とする請求項１２から請求項１４のいずれかに記載の情報処理装置。
【請求項１７】
前記報知手段は、所定のテキストや画像を表示する表示手段を含むことを特徴とする請求項１２から請求項１４のいずれかに記載の情報処理装置。
【請求項１８】
前記報知手段は、音声または信号音を出力する発音手段を含む、ことを特徴とする請求項１２から請求項１４のいずれかに記載の情報処理装置。
【請求項１９】
前記記録媒体が当該情報処理装置に装着されたときに、前記判定手段が前記記録媒体の状態を判定し、前記報知手段が前記判定結果を報知する、ことを特徴とする請求項１２から請求項１４のいずれかに記載の情報処理装置。
【請求項２０】
コンピュータに、
記録媒体から、前記記録媒体の状態を示す情報を取得する手順と、
前記取得した情報に基づき前記記録媒体の状態を判定する手順と、
前記判定した結果を外部に報知する手順と、
を実行させる、ことを特徴とする情報処理プログラム。
【請求項２１】
前記記録媒体の状態を示す情報は、ディレクトリ・ファイル構成またはファイル名に関する情報であり、
前記記録媒体の状態を判定する手順は、前記ディレクトリ・ファイル構成またはファイル名に関する情報に基づき、前記記録媒体に動画ファイルが記録されているか否かを判定する、
ことを特徴とする請求項２０記載の情報処理プログラム。
【請求項２２】
前記記録媒体の状態を判定する手順は、
前記記録媒体に、ＡＶＣＨＤ規格で規定されたディレクトリまたはファイルが存在するか否かを判断し、
ＡＶＣＨＤ規格で規定されたディレクトリまたはファイルが存在すると判断した場合、前記記録媒体に動画ファイルが記録されていると判定し、
ＡＶＣＨＤ規格で規定されたディレクトリまたはファイルが存在しないと判断した場合、前記記録媒体に動画ファイルが記録されていないと判定する、
ことを特徴とする請求項２１記載の情報処理プログラム。
【請求項２３】
前記判定した結果を外部に報知する手順は、前記判定結果に応じて異なった色で発光手段を発光させる、
ことを特徴とする請求項２０から請求項２２のいずれかに記載の情報処理プログラム。
【請求項２４】
前記判定した結果を外部に報知する手順は、前記判定結果に応じて異なった周期で発光手段を発光させる、ことを特徴とする請求項２０から請求項２２のいずれかに記載の情報処理プログラム。
【請求項２５】
前記判定した結果を外部に報知する手順は、複数の発光手段を用いて前記判定結果を外部に報知し、前記判定結果に応じて、点灯させる発光手段を切り替える、ことを特徴とする請求項２０から請求項２２のいずれかに記載の情報処理プログラム。
【請求項２６】
前記判定した結果を外部に報知する手順は、所定のテキストや画像を表示する表示手段によって前記判定結果を外部に報知する、ことを特徴とする請求項２０から請求項２２のいずれかに記載の情報処理プログラム。
【請求項２７】
前記判定した結果を外部に報知する手順は、発音手段によって前記判定結果を外部に報知する、ことを特徴とする請求項２０から請求項２２のいずれかに記載の情報処理プログラム。
【発明の詳細な説明】
【技術分野】
【０００１】
本発明は、記録媒体の状態をユーザに通知可能な撮像装置、情報処理装置および情報処理プログラムに関する。
【背景技術】
【０００２】
デジタルカメラなどの撮影機器は、撮影した静止画や動画のデータを、ＳＤカード等の取り外し可能な記録媒体に記録可能である。例えば、記録媒体には、ＪＰＥＧ（Ｊｏｉｎｔ  Ｐｈｏｔｏｇｒａｐｈｉｃ  Ｅｘｐｅｒｔｓ  Ｇｒｏｕｐ）形式の静止画やＭＰＥＧ（Ｍｏｖｉｎｇ  Ｐｉｃｔｕｒｅ  Ｅｘｐｅｒｔｓ  Ｇｒｏｕｐ）形式の動画など、様々な形式の画像データが記録可能である。また、撮影機器は、記録媒体に記録された画像データを再生することができる。
【０００３】
このような撮影機器では、記録媒体を装着したとき、記録媒体のデータを読み書きしている状態などをユーザに知らせるため、ＬＥＤなどのアクセスランプが実装されていることが多い。例えば、特許文献１は、デジタルカメラなどの撮影機器に記録媒体が装着されたときに、アクセスランプなどの情報提示手段を用いて、撮影機器と記録媒体との間でどのような通信が行われているかをユーザに通知する技術を開示する。
【先行技術文献】
【特許文献】
【０００４】
【特許文献１】特許第４２３８４４８号
【発明の概要】
【発明が解決しようとする課題】
【０００５】
従来、ＳＤカードに対して、ＡＶＣＨＤ(Ａｄｖａｎｃｅｄ  Ｖｉｄｅｏ  Ｃｏｄｅｃ  Ｈｉｇｈ  Ｄｅｆｉｎｉｔｉｏｎ)規格で規定された動画（以下、動画とする）を記録できる撮影機器と、ＤＣＦ（Ｄｅｓｉｇｎ  ｒｕｌｅ  ｆｏｒ  Ｃａｍｅｒａ  Ｆｉｌｅ  ｓｙｓｔｅｍ）規格で規定された静止画（以下、静止画とする）を記録できる撮影機器とが存在する。このような状況の下では、１つのＳＤカード内に動画データと静止画データのように、異なるフォーマットで記録されたデータが混在して記録される可能性がある。動画と静止画の両方を記録できる撮影機器においても同様である。
【０００６】
このような場合、ユーザがＳＤカード内に動画が記録されているかどうかを確認する場合、ユーザは、ＳＤカードを再生機器などに装着し、ＳＤカード内のファイル構成を確認する必要があり、ユーザは煩雑な作業を強いられる。なお、特許文献１に開示された構成では、アクセスランプなどの点灯状態によって、撮影機器と記録媒体との間でどのような通信が行われているかを確認することは可能であるが、特許文献１は、記録媒体に動画データが記録されているか否かを容易に判別可能とする構成を開示するものではない。
【０００７】
本発明は、上述のような事情に鑑みてなされたもので、ユーザが特別な操作をすることなく、動画データの有無などの記録媒体の状態（設定状態、データ格納状態、など）を容易に確認できるようにする撮像装置、情報処理装置および情報処理プログラムを提供することを目的とする。
【課題を解決するための手段】
【０００８】
本発明に係る撮像装置は、記録媒体から、記録媒体の状態を示す情報を取得する情報取得手段と、取得した情報に基づき記録媒体の状態を判定する判定手段と、判定手段による判定結果を外部に報知する報知手段と、を備える。
【０００９】
本発明に係る情報処理装置は、記録媒体から、記録媒体の状態を示す情報を取得する情報取得手段と、取得した情報に基づき記録媒体の状態を判定する判定手段と、判定手段による判定結果を外部に報知する報知手段と、を備える。
【００１０】
、
本発明に係る情報処理プログラムは、コンピュータに、記録媒体から、記録媒体の状態を示す情報を取得する手順と、取得した情報に基づき記録媒体の状態を判定する手順と、判定した結果を外部に報知する手順と、を実行させるプログラムである。
【発明の効果】
【００１１】
本発明によれば、ユーザが特別な操作をすることなく、記録媒体内の動画の有無などの記録媒体内の状態（設定状態、データ格納状態、など）を容易に知ることが可能になる。
【図面の簡単な説明】
【００１２】
【図１】本発明の実施の形態におけるデジタルカメラの外観図
【図２】本発明の実施の形態におけるデジタルカメラの内部ブロック図
【図３】本発明の実施の形態１における、記録媒体内の動画ファイルの有無の通知動作を示すフローチャート
【図４】記録媒体に作成されるディレクトリ・ファイル構成を説明した図
【図５】本発明の実施の形態１における、記録媒体内の動画ファイルの有無の判定処理を示すフローチャート
【図６】本発明の実施の形態２における、記録媒体の書込速度の保証の通知動作を示すフローチャート
【発明を実施するための形態】
【００１３】
以下、本発明を実施するための最良の形態について、図面を参照しながら説明する。
【００１４】
実施の形態１
デジタルカメラの構成
１．１  デジタルカメラの外観
図１は、本発明の実施の形態に係るデジタルカメラの外観図である。図１（ａ）は、正面図であり、図１（ｂ）は、背面図である。本発明の実施の形態に係るデジタルカメラ１００は、ＡＶＣＨＤ(Ａｄｖａｎｃｅｄ  Ｖｉｄｅｏ  Ｃｏｄｅｃ  Ｈｉｇｈ  Ｄｅｆｉｎｉｔｉｏｎ)規格で規定された動画（以下、動画とする）と、ＤＣＦ（Ｄｅｓｉｇｎ  ｒｕｌｅ  ｆｏｒ  Ｃａｍｅｒａ  Ｆｉｌｅ  ｓｙｓｔｅｍ）規格で規定された静止画（以下、静止画とする）とを記録可能である。また、デジタルカメラ１００は、種々の動作モード（静止画撮影モード、動画撮影モード、再生モード）を有する。動作モードの詳細は後述する。
【００１５】
図１（ａ）に示すように、デジタルカメラ１００の正面には、撮像光学系１０１とフラッシュ１０２が配されている。撮像光学系１０１は、被写体像をデジタルカメラ１００内の撮像素子に結像させる。フラッシュ１０２は、静止画撮影モードにおいて、暗所での撮影の場合に、閃光を発して撮影光量の不足を補う。
【００１６】
デジタルカメラ１００の上面には、シャッターボタン１０３が配されている。静止画撮影モードにおいて、シャッターボタン１０３を押下すると、撮像素子に結像した被写体像に基づく画像データが静止画ファイルとしてメモリカードなどの記録媒体に記録される。また、動画撮影モードにおいて、シャッターボタン１０３を押下すると、撮像素子に結像した被写体像に基づく画像データが、順次、動画ファイルとして記録媒体に記録される。再度、シャッターボタン１０３を押下すると、動画ファイルの記録が終了する。
【００１７】
デジタルカメラ１００の下面には、記録媒体を装着するスロット１０８が配されている。スロット１０８に記録媒体が装着されている場合、静止画撮影モードまたは動画撮影モードにおいては、撮影したデータが画像ファイルとして記録媒体に記録される。つまり、デジタルカメラ１００を用いて画像を記録した場合、記録媒体内に静止画と動画が混在して記録され得る。また、デジタルカメラ１００は、再生モードにおいて、記録媒体に記録された静止画ファイルに基づく静止画や動画ファイルに基づく動画を液晶モニター１０４に表示（再生）することができる。
【００１８】
図１（ｂ）に示すように、デジタルカメラ１００の背面には、液晶モニター１０４、モードダイヤル１０５、各種操作ボタン１０６が配されている。液晶モニター１０４には、静止画撮影モードまたは動画撮影モードのときに、撮像素子に結像した被写体像に基づく画像が表示される。これにより、ユーザは液晶モニター１０４に表示された画像を確認しながら撮影のための構図を決定することができる。また、液晶モニター１０４は、再生モードのとき、記録媒体に記録された静止画ファイルに基づく静止画や動画ファイルに基づく動画を表示することができる。
【００１９】
モードダイヤル１０５は、動作モードを切り替えるためのダイヤル式のスイッチである。ユーザはこれを操作することで、デジタルカメラ１００の動作モードを決定することができる。デジタルカメラ１００の動作モードには、静止画撮影モード、動画撮影モードおよび再生モードがある。静止画撮影モードは、シャッターボタン１０３を押下することにより、撮像素子に結像した被写体像に基づく画像データを静止画ファイルとして記録媒体に記録する動作モードである。静止画撮影モードは、さらに全自動撮影モード、プログラム撮影モード、シャッター速度優先撮影モード、絞り優先撮影モード、シーン別撮影モードに細分される。動画撮影モードは、シャッターボタン１０３を押下してから、再度、シャッターボタン１０３を押下するまでの間、撮像素子に結像した被写体像に基づく画像データを、順次、動画ファイルとして記録媒体に記録する動作モードである。
【００２０】
再生モードは、記録媒体に記録された静止画ファイルに基づく静止画や動画ファイルに基づく動画を液晶モニター１０４に表示（再生）する動作モードである。再生モードでは、静止画ファイルのサムネイル画像と動画ファイルの代表画像を示すサムネイル画像を混在させて、時系列順に並べて液晶モニター１０４に表示することができる。液晶モニター１０４に表示されたサムネイル画像を選択することで、表示を切り替えることができる。静止画ファイルのサムネイル画像が選択された場合は、静止画ファイルに基づく静止画が液晶モニター１０４に表示され、動画ファイルの代表画像を示すサムネイル画像が選択された場合は、動画ファイルに基づく動画が再生される。
【００２１】
各種操作ボタン１０６は、液晶モニター１０４にメニュー画面を表示させるためのメニューボタン１０６ｂ、メニュー画面における項目を選択するために上下左右にカーソルを移動させるための上下左右ボタン１０６ａ、メニュー画面でカーソルがあたっている項目の決定を指示する決定ボタン１０６ｂ（メニューボタンと兼用）、液晶モニター１０４上のＯＳＤ表示項目を切り替えるための表示切替ボタン１０６ｃ、不要な静止画・動画の削除を指示する削除ボタン１０６ｄを含む。これらのボタンを操作することで、静止画撮影モード、動画撮影モードおよび再生モードにおける、さらに詳細な設定をすることができる。すなわち、静止画撮影モードにおいては、露出補正、ホワイトバランス調整、フラッシュ１０２の発光に関する設定などを行うことができる。動画撮影モードにおいては、解像度やフレームレートを変更することができる。また、再生モードにおいては、液晶モニター１０４に表示された静止画の拡大や縮小、液晶モニター１０４に同時に表示するサムネイル画像の数の設定、記録媒体に記録された静止画ファイルや動画ファイルの検索などを行うことができる。
【００２２】
また、デジタルカメラ１００の背面にはアクセスランプ１０７が配されている。アクセスランプ１０７は、点灯または点滅を行うことで、ユーザに対して、記録媒体の所定の状態の報知または警告を行うことができる。
【００２３】
１．２  デジタルカメラの機能ブロック
図２は、本実施の形態に係るデジタルカメラ１００の機能ブロック図である。
本実施形態のデジタルカメラ１００においては、記録媒体２１２としてＳＤカードを使用する。なお、記録媒体はＳＤカードに限られず、ハードディスクやＤＶＤやＢＤ（ブルーレイディスク）などのデータが記録できるものであれば、これに限るものではない。
【００２４】
操作手段２１１は、図１に示すシャッターボタン１０３、各種操作ボタン１０６、モードダイヤル１０５から構成され、これらを通じてユーザの指示を画像制御手段２０２に通知する。
【００２５】
画像制御手段２０２は、操作手段２１１を介したユーザの指示に応じて、撮像手段２０１、画像処理手段２０５、表示制御手段２０３、発光制御手段２０９、記録媒体アクセス制御手段２０６を制御し、撮影・記録・再生などの処理を実行する。
【００２６】
表示手段２０４は、ＬＣＤなどの表示装置であり、撮像素子に結像した被写体像に基づく画像や、記録媒体に記録されている静止画や動画の再生画像、撮影や再生に関する設定を行うメニュー画面を表示する。表示制御手段２０３は、表示手段２０４の表示を制御する手段である。表示手段２０４は図１の液晶モニター１０４に対応する。
【００２７】
発光手段２１０は、ＬＥＤなどの点灯装置であり、図１のアクセスランプ１０７に対応する。発光制御手段２０９は、発光手段２１０に対して、点灯時間、点滅間隔、点灯色などを指示し、発光手段２１０の点灯動作の制御を行う。
【００２８】
撮像手段２０１は、ＣＣＤなどの撮像素子であり、画像制御手段２０２の指示に従って、撮像光学系１０１を介して受けた光学的信号を電気的信号に変換し、画像処理手段２０５に出力する。
【００２９】
画像処理手段２０５は、撮像手段２０１から入力された画像データに対して、ＪＰＥＧ圧縮などの圧縮変換を行い、圧縮した圧縮データを記録媒体アクセス制御手段２０６に出力する。また、画像処理手段２０５は、撮像手段２０１から入力された画像の電気的信号を、ＹＣ信号のような、表示手段２０４が表示できる形式の信号に変換し、表示制御手段２０３に出力する。さらに、画像処理手段２０５は、記録媒体アクセス制御手段２０６から入力される記録媒体２１２内の圧縮データを伸張し、表示制御手段２０３に出力する。
【００３０】
記録媒体アクセス手段２０７は、記録媒体２１２に対するインターフェースを備えるスロットであり、記録媒体２１２との間でデータの読み出し・書き込みの処理を行う。
【００３１】
記録媒体アクセス制御手段２０６は記録媒体アクセス手段２０７を制御して、画像処理手段２０５から入力された圧縮データを記録媒体２１２に記録する。さらに、記録媒体アクセス制御手段２０６は、画像制御手段２０２の指示に従って、記録媒体アクセス手段２０７を制御して、記録媒体２１２から圧縮データを読み出し、画像処理手段２０５に出力する。さらに、記録媒体アクセス制御手段２０６は、記録媒体アクセス手段２０７を制御し、記録媒体２１２内のディレクトリ・ファイル構成を読み取り、記録情報判定手段２０８に出力する。
【００３２】
記録情報判定手段２０８は、記録媒体アクセス制御手段２０６から入力されたディレクトリ・ファイル構成を解析し、記録媒体２１２内に動画ファイルが記録されているか否かを判定する。動画ファイルが記録されていると判定した場合、記録情報判定手段２０８は、発光制御手段２０９に対して、発光手段２１０を青色に点滅させるように指示する。また、動画ファイルが記録されていないと判定した場合、記録情報判定手段２０８は、発光制御手段２０９に対して、発光手段２１０を赤色に点滅させるように指示する。
【００３３】
画像制御手段２０２、表示制御手段２０３、画像処理手段２０５、記録媒体アクセス制御手段２０６、記録情報判定手段２０８、発光制御手段２０９の機能は、ハードワイヤードな電子回路で実現されてもよいし、プログラムをコンピュータが実行することで実現されてもよい。
【００３４】
２．動画ファイルの有無の報知動作
本実施の形態に係るデジタルカメラ１００に記録媒体２１２が装着されたときの、記録媒体２１２における動画ファイルの有無の報知動作を、図３のフローチャートを用いて説明する。
【００３５】
デジタルカメラ１００のスロット１０８に記録媒体２１２が装着されると（Ｓ１０）、記録媒体アクセス制御手段２０６は、記録媒体アクセス手段２０７に対して記録媒体２１２内のルートディレクトリ以下のディレクトリ・ファイル構成の読み取りを指示する（Ｓ１１）。
【００３６】
記録情報判定手段２０８は、記録媒体アクセス制御手段２０６が取得した記録媒体２１２内のディレクトリ・ファイル構成を解析し、記録媒体２１２における動画ファイルの有無を判定する（Ｓ１２）。この判定処理の詳細については後述する。記録情報判定手段２０８は、判定結果を発光制御手段２０９に出力する。
【００３７】
発光制御手段２０９は記録情報判定手段２０８から判定結果を受けて、記録媒体２１２内に動画ファイルが存在すると判定された場合（Ｓ１３でＹＥＳ）、発光手段２１０を青色で点滅させるよう指示する（Ｓ１４）。一方、動画ファイルが存在しないと判定された場合は（Ｓ１３でＮＯ）、発光制御手段２０９は、発光手段２１０を赤色で点滅させることを指示する（Ｓ１５）。発光手段２１０は、発光制御手段２０９からの指示を受けて点滅動作を行なう（Ｓ１４／Ｓ１５）。
【００３８】
以上のように、本実施形態のデジタルカメラ１００によれば、ファイル内のデータを解析することなく、ディレクトリ・ファイル構成の解析処理だけで、記録媒体２１２内の動画ファイルの有無を判定し、ユーザに報知することができる。これにより、ユーザは記録媒体２１２をデジタルカメラに挿入するだけで、その画像データを再生し液晶モニター１０４にて目視で確認することなく、発光手段２１０の点灯色により、記録媒体２１２内の動画ファイルの有無を容易に確認することができる。
【００３９】
なお、本実施の形態では、発光手段２１０の点灯色により、記録媒体２１２内の動画ファイルの有無を確認することとしたが、これに限らない。例えば、記録媒体２１２内の動画ファイルの有無に応じて、発光手段２１０の点灯色を同じくしつつ点滅周期を異ならせてもよい。例えば、記録情報判定手段２０８により記録媒体２１２内に動画ファイルが存在すると判定した場合（Ｓ１３でＹＥＳ）、発光手段２１０を短い周期で点滅させ、動画ファイルが存在しないと判定した場合（Ｓ１３でＮＯ）、発光手段２１０を長い周期で点滅させるようにしてもよい。
【００４０】
また、発光手段２１０の点灯と消灯により、記録媒体２１２内の動画ファイルの有無を報知してもよい。例えば、記録情報判定手段２０８により記録媒体２１２内に動画ファイルが存在すると判定した場合（Ｓ１３でＹＥＳ）、発光手段２１０を点灯させ、動画ファイルが存在しないと判定した場合（Ｓ１３でＮＯ）、発光手段２１０を点灯させないようにしてもよい。
【００４１】
発光手段２１０の点灯と消灯は、広い意味で発光手段２１０の点滅周期が無限大の場合であると考えることもできる。発光手段２１０の点滅周期により、または、発光手段２１０の点灯と消灯により、記録媒体２１２内の動画の有無を報知することとすれば、点灯色を変えることができない安価な発光手段であっても本実施形態の思想を適用することができる。さらに、二つの発光手段を備え、発光手段またはその組み合わせを切り替えて点灯させることにより、記録媒体２１２内の動画の有無を報知するようにしてもよい。
【００４２】
２．１  動画ファイルの有無の判定処理
記録情報判定手段２０８による、記録媒体２１２内の動画ファイルの有無判定処理（図３のステップＳ１２）について説明する。
【００４３】
最初に、記録媒体２１２のディレクトリ・ファイル構成について説明する。図４に、記録媒体２１２に動画データが記録される場合のディレクトリ・ファイル構成の一例を示す。ＲＯＯＴディレクトリ下の１００＿ＰＡＮＡディレクトリは、ＤＣＦ規格に則して静止画ファイルが記録されるディレクトリである。また、ＲＯＯＴディレクトリ下のＰＲＩＶＡＴＥディレクトリは、ＳＤ規格に則して生成されたディレクトリである。ＰＲＩＶＡＴＥディレクトリ下のＡＶＣＨＤディレクトリおよびそれ以下のディレクトリは、ＡＶＣＨＤ規格に則して生成されたディレクトリである。すなわち、記録媒体２１２においてＡＶＣＨＤ規格に則して動画ファイルが記録されている場合、必ずＡＶＣＨＤディレクトリが存在することから、ＡＶＣＨＤディレクトリの存在を確認することで、動画ファイルの存在を推測できる。
【００４４】
図５のフローチャートを参照し、記録媒体２１２内の動画ファイルの有無判定処理（図３のステップＳ１２）について説明する。
【００４５】
記録情報判定手段２０８は、記録媒体アクセス制御手段２０６が取得したディレクトリ構造を解析する（Ｓ２１）。具体的には、記録情報判定手段２０８は、ルートディレクトリ以下のディレクトリ構成を解析し、ＰＲＩＶＡＴＥディレクトリが存在するか否かを判定する（Ｓ２２）。ＰＲＩＶＡＴＥディレクトリが存在しない場合は（Ｓ２２でＮＯ）、記録情報判定手段２０８は、記録媒体２１２内に動画ファイルは存在しないと判定し（Ｓ２６）、動画ファイルの有無判定処理を終了する。
【００４６】
ＰＲＩＶＡＴＥディレクトリが存在する場合（Ｓ２２でＹＥＳ）、記録情報判定手段２０８は、ＰＲＩＶＡＴＥディレクトリ内を解析し（Ｓ２３）、ＰＲＩＶＡＴＥディレクトリ内にＡＶＣＨＤディレクトリが存在するか否かを判定する（Ｓ２４）。ＰＲＩＶＡＴＥディレクトリ内にＡＶＣＨＤディレクトリが存在する場合（Ｓ２４でＹＥＳ）、記録媒体２１２内に動画ファイルが存在すると判定し（Ｓ２５）、動画ファイルの有無判定処理を終了する。ＰＲＩＶＡＴＥディレクトリ内にＡＶＣＨＤディレクトリが存在しない場合は（Ｓ２４でＮＯ）、記録媒体２１２内に動画ファイルは存在しないと判定し（Ｓ２６）、動画ファイルの有無判定処理を終了する。
【００４７】
以上のように、本実施形態では、記録媒体２１２における動画ファイルの存在の有無を判定するために、規格に固有のディレクトリの存在を確認することにより、高速な判定が可能となる。
【００４８】
３．変形例
実施の形態１では、記録媒体２１２内にＰＲＩＶＡＴＥディレクトリ及びＡＶＣＨＤディレクトリの双方が存在する場合に、記録媒体２１２内に動画ファイルが存在すると判定したが、動画ファイルの有無の判定はこの方法に限られない。例えば、ＡＶＣＨＤ規格にて規定される、その他のディレクトリ及びファイルの有無を確認することによって、動画ファイルの有無を判定することもできる。例えば、ＡＶＣＨＤディレクトリ下において、ＢＤＭＶディレクトリ、ＢＤＭＶ／ＳＴＲＥＡＭディレクトリ、ＢＤＭＶ／ＰＬＡＹＬＩＳＴディレクトリ、およびＢＤＭＶ／ＣＬＩＰＩＮＦディレクトリの少なくともいずれか１つが存在する場合に、記録媒体２１２に動画ファイルが記録されていると判定してもよい。または、ＢＤＭＶディレクトリや、ＢＤＭＶ／ＳＴＲＥＡＭ、ＢＤＭＶ／ＰＬＡＹＬＩＳＴ、及びＢＤＭＶ／ＣＬＩＰＩＮＦディレクトリの少なくともいずれか１つにおいて所定のファイル（＊．ｂｄｍ、＊．ｍｐｌ、＊．ｃｐｉ、＊．ｍｔｓ）が存在する場合に、記録媒体２１２に動画ファイルが記録されていると判定してもよい。ＡＶＣＨＤ規格にて規定されるファイルの存在を確認することで、ディレクトリを確認する場合よりも、より精度よく動画ファイルの有無判定が可能となる。
【００４９】
実施の形態１では、記録媒体２１２がＳＤカードである場合のディレクトリ・ファイル構成の解析方法の例を示しているが、ディレクトリ・ファイル構成の解析方法は、記録媒体２１２に応じて異なる。例えば、ＲＯＯＴディレクトリ直下にＡＶＣＨＤディレクトリが存在する場合がある。記録媒体がＳＤカード以外である場合は、記録媒体の規格にしたがい規定されるパスにＡＶＣＨＤディレクトリが存在するか否かを確認することにより、動画ファイルの有無を判定することができる。
【００５０】
なお、ＡＶＣＨＤ規格以外の規格に準拠したディレクトリ・ファイル構成であっても、そのディレクトリ・ファイル構成が既知であれば本実施形態の思想を適用できることは言うまでもない。また、記録情報判定手段２０８における動画ファイルの有無の判定処理において、複数の規格を考慮してディレクトリ・ファイル構成の解析を行ってもよい。すなわち、最初に、第一の規格に準拠したディレクトリ・ファイル構成にしたがい、ディレクトリ・ファイル構成の解析を行った後に、第二、第三の規格に準拠したディレクトリ・ファイル構成にしたがい、ディレクトリ・ファイル構成の解析を順次行ってもよい。このようにすることで、どのような規格に準拠したディレクトリ・ファイル構成を有する記録媒体であっても、確実に動画ファイルの有無を判定することができる。
【００５１】
また、規格に準拠しないディレクトリ・ファイル構成であっても、ファイル名を解析することで動画ファイルの有無を判定することができる。特にファイル名の拡張子（例えば、＊．ｍｔｓ）によって動画ファイルであるか、その他の種類のファイルであるかを判別することができる。このようにすれば、規格に準拠しないディレクトリ・ファイル構成であっても、確実に動画ファイルの有無を判定することができる。
【００５２】
実施の形態２
実施の形態１では、ユーザに報知する記録媒体２１２内の状態として、動画ファイルの記録（存在）の有無を通知した。しかし、報知する内容はこれに限るものではない。ユーザが記録媒体の外部から判断できない記録媒体の状態であれば、他の情報を報知してもよい。例えば、記録媒体２１２がＳＤカードであって、パーソナルコンピュータ（ＰＣ）を使ってフォーマット処理を行った場合、デジタルカメラを使ってフォーマット処理を行った場合に比べ、クラスタサイズが小さくなる場合がある。クラスタサイズが小さいとデータの書込速度が遅くなるため、ＨＤ（Ｈｉｇｈ  Ｄｅｆｉｎｉｔｉｏｎ）サイズの動画記録など、書込速度が要求される場合は、適切なクラスタサイズでフォーマットされている方が望ましい。そこで、ＳＤカード挿入時、クラスタサイズなどが推奨値と合致しているかを確認し、書込速度が保証できる状態にあるかどうかを、ユーザに報知することは有益である。本実施の形態では、このような場合の判定処理を説明する。デジタルカメラの構成は実施の形態1のものと同様である。
【００５３】
図６は、本実施の形態の記録媒体の状態の判定処理のフローチャートである。図６において、デジタルカメラ１００のスロット１０８に記録媒体２１２が装着されると（Ｓ３０）、記録媒体アクセス制御手段２０６は、記録媒体アクセス手段に２０７に対して記録媒体２１２のフォーマット形式の取得を指示する（Ｓ３１）。具体的には、記録媒体２１２のファイルシステム情報を取得する。
【００５４】
記録情報判定手段２０８は、記録媒体アクセス制御手段２０６が取得した記録媒体２１２のファイルシステム情報に基づき記録媒体２１２のフォーマット形式の解析を行い、装着された記録媒体２１２が書込速度を保証できる記録媒体であるか否かを判定する（Ｓ３２）。具体的には、記録情報判定手段２０８は、ファイルシステム情報に含まれる、クラスタサイズ（記録最小単位）を示す情報を参照し、装着された記録媒体２１２のクラスタサイズが所定のクラスタサイズ（ＳＤ規格での推奨クラスタサイズ）であるか否かを判断する。
【００５５】
装着された記録媒体２１２のクラスタサイズが所定のクラスタサイズである場合、記録情報判定手段２０８は、装着された記録媒体２１２が書込速度を保証できる（高速書込可能な）記録媒体であると判定し、そうでない場合は、書込速度を保証できない（高速書込不可能な）記録媒体であると判定し、判定結果を表示制御手段２０３に通知する。
【００５６】
なお、ＳＤ規格推奨クラスタサイズは、ＳＤ Ａｓｓｏｃｉａｔｉｏｎ発行のＳＤ Ｓｐｅｃｉｆｉｃａｔｉｏｎｓ Ｐａｒｔ ２, Ｆｉｌｅ Ｓｙｓｔｅｍ Ｓｐｅｃｉｆｉｃａｔｉｏｎ, Ｖｅｒｓｉｏｎ ２．００に開示がある。なお、本実施形態では、クラスタサイズの確認にてＳＤカードのフォーマット形式を確認したが、これ以外にも書込速度を保証するための条件を満たしていることが判定できるものであれば、これに限るものではない。
【００５７】
装着された記録媒体２１２が書込速度を保証できる記録媒体でないと判定された場合（Ｓ３３でＮＯ）は、表示制御手段２０３は、「このカードは動画記録に適しません」というメッセージを表示手段２０４に表示する（Ｓ３４）。なお、本例では、装着された記録媒体２１２が書込速度を保証できる記録媒体であると判定された場合（Ｓ３３でＹＥＳ）は、表示制御手段２０３は特にメッセージの表示は行なわないが、装着された記録媒体２１２が動画記録に適している旨のメッセージを表示してもよい。また、ユーザに書込速度が保証できないことを報知できるのであれば、ユーザへの報知方法はこれに限るものではない。例えば、実施の形態１のようにアクセスランプ１０７の点灯により報知してもよい。
【００５８】
以上の構成により、ユーザは、記録媒体２１２の内部を解析することなく、記録媒体が動画の記録に適したものか否かを容易に認識することができる。
【００５９】
その他の実施の形態
上記の実施の形態では、ユーザに対して情報を報知する手段として、発光手段２１０を使用しているが、ユーザに対して記録媒体２１２の内部状態の違いを報知できる手段であれば、これに限るものではない。例えば、実施の形態１において、表示制御手段２０３を通じて、表示装置２０２に「このＳＤカードにはＡＶＣＨＤ動画が記録されています」などのメッセージを表示しても構わない。また、メッセージの代わりに、記録媒体２１２の内部状態によって形状または色彩の異なるアイコンまたはマークなどを表示装置２０２に表示してもよい。さらに、発音手段を備え、記録媒体２１２の内部状態の違いを音声または異なる信号音で報知してもよい。
【００６０】
また、上記の実施の形態では、記録媒体２１２がスロット１０８に挿入された場合に、記録媒体の状態を報知したが、報知のタイミングはこれに限られない。動画撮影開始時、動画撮影モードに切り替えられたとき、または、デジタルカメラ１００の電源オン時に、上記の報知動作を行なうようにしてもよい。
【００６１】
また、前述の動画ファイルの有無や記録媒体のフォーマットに加えて、下記の状態を判定し、その判定結果に応じた報知を行なっても良い。
・不良セクタ数が所定数以上あるか否か
・空き容量が所定値以上あるか否か
すなわち、記録媒体の情報に基づき、記録媒体の状態を判定し、その判定結果に応じた報知を行なうようにすればよい。
【００６２】
上記の説明では、実施形態としてデジタルカメラを一例として用いたが、上記の実施の形態の思想は、デジタルカメラへの適用に限定されない。上記の実施の形態の思想は、着脱可能な記録媒体に画像データを記録したり、記録媒体に記録された画像データを再生したりすることが可能な、デジタルビデオカメラ、カメラ付携帯端末のような撮像装置及びパーソナルコンピュータやフォトビューワのような情報処理装置に対して適用できる。
【産業上の利用可能性】
【００６３】
本発明は、ユーザが特別な操作をすることなく、記録媒体内の動画の有無、フォーマット形式などの記録媒体の状態（設定状態、データ格納状態、など）を容易に知ることが可能になるため、デジタルカメラ、デジタルビデオカメラなどの撮像装置、パーソナルコンピュータなどの、記録媒体を使用する情報処理装置に有用である。
【符号の説明】
【００６４】
１００  デジタルカメラ
１０１  撮像光学系
１０２  フラッシュ
１０３  シャッターボタン
１０４  液晶モニター
１０５  モードダイヤル
１０６  各種操作ボタン
１０６ａ  上下左右ボタン
１０６ｂ  メニュー／決定ボタン
１０６ｃ  表示切替ボタン
１０６ｄ  削除ボタン
１０７  アクセスランプ
１０８  スロット
２０１  撮像手段
２０２  画像制御手段
２０３  表示制御手段
２０４  表示手段
２０５  画像処理手段
２０６  記録媒体アクセス制御手段
２０７  記録媒体アクセス手段
２０８  記録情報判定手段
２０９  発光制御手段
２１０  発光手段
２１１  操作手段
２１２  記録媒体
【図１】
2011044138.tif 000003
【図２】
2011044138.tif 000004
【図３】
2011044138.tif 000005
【図４】
2011044138.tif 000006
【図５】
2011044138.tif 000007
【図６】
2011044138.tif 000008